(57)【要約】      （修正有）【課題】ユビキタス社会における生活弱者、認知症患者及び知的障害者・精神障害者の救済の為にＩＣタグを使用し、高齢化社会を迎え今後増加すると考えられる、認知症患者等の行方不明者の迅速な保護・本人確認のためのシステムの提供。【解決手段】靴の中敷２００を使用する者の本人確認情報である顔写真や住所、電話番号、性別、年齢、緊急時連絡先などに対して発行されたＩＤをライタ３００でＩＣタグ１００に書き込み、靴の中敷２００に着脱できない状態で先端部分に埋め込み、使用者が簡単にＩＣタグを外せない状態で装着する。靴の中敷２００に埋め込まれたＩＣタグからリーダ６００により書き込まれたＩＤを読み取る。ＩＣタグ１００は、リーダ６００から発せられる電波を受信することによって電波を発信しＩＤを伝えることができる。【選択図】図５
0003201276.tif 000002
【実用新案登録請求の範囲】
【請求項１】
リーダー／ライターの電波から電力を得て電波を飛ばす電池を持たないパッシブタグのＩＣタグを着脱できない状態で埋め込まれていることを特徴とする靴の中敷。
【請求項２】
ＩＣタグが埋め込まれている事を靴の中敷の表面にマーク等で表示されていることを特徴とする請求項１に係る靴の中敷。
【請求項３】
靴の中敷は多層構造になっていて、ＩＣタグが埋め込まれるよう先端部分に窪みが作られていることを特徴とする請求項１に係る靴の中敷。
【請求項４】
ＩＣタグが請求項１の靴の中敷に埋め込まれている事を示すため、表面に反射材で表示されるマーク又は二次元コードを有する靴の踵部。
【請求項５】
請求項１に係る靴の中敷を使用する者の顔写真や住所、電話番号、性別、年齢、緊急時連絡先など本人を確認するための情報を専用ソフトで作成し、個々の本人確認情報に対してＩＤを発行しＩＣタグに書き込む事を特徴とする情報システム。
【請求項６】
請求項５に係る本人確認情報をインターネットを通じて何時でも何処でも利用可能とすることを特徴とする情報システム。
【考案の詳細な説明】
【技術分野】
【０００１】本実用新案は、認知症患者及び其の恐れのある者、また、知的障害者や精神障害者が徘徊等で保護された時、本人の確認を迅速にするためのＩＣタグが埋め込まれた靴の中敷に関する。【０００２】ＩＣタグが靴の中敷に埋め込まれていることを、保護された時に保護した者が気付きやすくするために靴の中敷及び踵部の表示に関する。
【背景技術】
【０００３】ＩＣタグとは、シールラベル、タグ、コイン、キー、カプセルなど様々な形状のものにＩＣチップと小型のアンテナを埋め込み、そこに記憶された情報を電波によって直接触れずに読み取る技術のことである。物流の効率化や倉庫・小売店での作業の効率化、偽造や万引きの防止など多分野で活用されている。【０００４】市民マラソン大会や陸上競技でＩＣタグを使用したシステムは、順位の確定やタイムの測定を目的としている。そのため送受信可能なアンテナを備えたマットとのシステム構成となる。競技終了後はＩＣタグは取り外され着脱可能な状態で装着されている。このようないわゆるランニング計測システムも先行技術としてある。【０００５】近年クラウドコンピューティングと呼ばれる、大量のデータを自分のパソコンに保存するのではなく、ネット上に保存し、何時でも何処でもデータを閲覧し編集することのできるデータ共有システムが発達している。
【考案の概要】
【考案が解決しようとする課題】
【０００６】群馬県内２０１４年度県警まとめ  認知症やその疑いで行方不明になったとして、県警に家族などから届けられたのは１７７人。２０１４年の全国の届け出数は、前年比４６１人増の１０，７８３人で、２年連続で１万人を超えた。本格的な高齢化社会を向かえ、今後も認知症患者やその疑いのある者で行方不明者が増加すると考えられる。
行方不明者保護時の迅速な本人の確認と保護者（家族など）への連絡が課題となる。
【課題を解決するための手段】
【０００７】請求項１では、使用するＩＣタグは、リーダー／ライターの電波から電力を得て電波を飛ばす電池を持たないパッシブタグで、着脱できない状態で埋め込まれていることを特徴とする靴の中敷である。【０００８】請求項２でＩＣタグが埋め込まれている事を靴の中敷の表面にマーク等で表示されていることを特徴とする。【０００９】請求項３で、ＩＣタグが埋め込まれる靴の中敷は多層構造になっていて、先端部分にＩＣタグが埋め込みやすいよう窪みが作られている。【００１０】また、請求項４でＩＣタグが靴の中敷に埋め込まれている事を保護した者が気付きやすくするため、靴の踵部の表面に反射材でマーク又は二次元コードを表示する。【００１１】請求項５で請求項１に係る靴の中敷を使用する者の顔写真や住所、電話番号、性別、年齢、緊急時連絡先など本人を確認するための情報を作成し、それぞれの本人確認情報に対してＩＤを発行し請求項１に係るＩＣタグに書き込む事を特徴とする情報システムである。【００１２】請求項６でＩＣタグに書き込まれるＩＤ情報の基となる請求項１に係る靴の中敷を使用する者の情報をインターネットを通じて何時でも何処でも利用可能とする情報システムを特徴とする。
【図面の簡単な説明】
【図１】専用ソフトによって作成された本人確認情報を基に発行されたＩＤを書き込んだＩＣタグを靴の中敷の先端部（爪先部分）に埋め込む概略図である。
【図２】ＩＣタグが埋め込まれていることを示すマークを表示している靴の中敷の表面図である。
【図３】靴の中敷にＩＣタグが埋め込まれていることを示す反射材を取付けた靴の踵部の表面図である。
【図４】靴の中敷に埋め込まれてたＩＣタグからＩＤ情報をリーダで読み取る概略図である。
【図５】ＩＤ情報はネット上で管理運営し、何時でも何処ででもＩＤ情報を基に迅速に本人確認するためのシステムの構成図である。
【考案を実施するための形態】
【００１３】この出願が実施しようとする形態は図面を参照して説明すれば以下のとおりである。
【００１４】図１に示すように実施の形態は、靴の中敷２００を使用する者の本人確認情報である顔写真や住所、電話番号、性別、年齢、緊急時連絡先などに対して発行されたＩＤをライタ３００でＩＣタグ１００に書き込み、靴の中敷２００に着脱できない状態で先端部分に埋め込み、使用者が簡単にＩＣタグを外せない状態で装着する。
【００１５】図２には靴の中敷２００の表面にＩＣタグ１００が埋め込まれていることを示す中敷表面のマーク４００が表示され、保護時に保護した者が靴の中敷２００にＩＣタグ１００が装着されていることを発見しやすいようにする。
【００１６】また、図３は保護された者がＩＣタグ１００が埋め込まれた靴の中敷２００を使用していることを示すため靴の踵部の反射材マーク５００を貼り付け、図２と同様に保護した者が靴の中敷２００にＩＣタグ１００が装着されていることを発見しやすいようにする。
【００１７】図４は靴の中敷２００に埋め込まれたＩＣタグからリーダ６００により書き込まれたＩＤを読み取る。ＩＣタグ１００は、リーダ６００から発せられる電波を受信することによって電波を発信しＩＤを伝えることができる。
【００１８】図５は本考案を実施するためのシステムの構成を表したものである。
【符号の説明】
【００１９】１００    ＩＣタグ
２００    靴の中敷
３００    ライタ
４００    中敷表面のマーク
５００    踵部の反射材マーク
６００    リーダ
７００    コンピュータ（本人確認専用システム）
８００    インタネットを利用した情報管理システム（クラウド）
【図１】
0003201276.tif 000003
【図２】
0003201276.tif 000004
【図３】
0003201276.tif 000005
【図４】
0003201276.tif 000006
【図５】
0003201276.tif 000007